(57)【要約】【課題】面積が小さくなるように収納でき、かつ、取り出したときにしわになりにくいシャツ収納構造を提供する。【解決手段】形態安定性加工が施されたシャツ３を展示用収納部材２に収納し、シャツ３は、広げた状態の全面積の1／５以下の面積になるように折り畳まれており、展示用収納部材２は、シャツ３が広がらないようにシャツ３を囲繞している構成とする。こうすることによって、しわを気にせずに収納でき、さらにシャツを嵩張らずに収納できる。【選択図】図１
2016124609.tif 000002
【特許請求の範囲】
【請求項１】
形態安定性加工が施されたシャツを収納部材に収納したシャツ収納構造であって、
前記シャツは、正面視したときに広げた状態の全面積の1／５以下の面積になるように折り畳まれており、
前記収納部材は、前記シャツが広がらないようにシャツを囲繞していることを特徴とするシャツ収納構造。
【請求項２】
前記シャツは、当該シャツの着丈方向において、ロール状に丸められて収納されていることを特徴とする請求項１に記載のシャツ収納構造。
【請求項３】
前記シャツは、後身頃が少なくとも肩幅方向に３回以上折り曲げられていることを特徴とする請求項１又は２に記載のシャツ収納構造。
【請求項４】
前記シャツは、ストライプ柄、ヘアライン柄、スピン柄、及びチェック柄から選ばれる少なくとも一つの柄を備えていることを特徴とする請求項１〜３のいずれかに記載のシャツ収納構造。
【請求項５】
前記シャツは、少なくとも５０以上のしわを付けた状態でハンガーに吊り下げ、水を吹き付けて所定時間放置したときにしわの数が１／１０以下になることを特徴とする請求項１〜４のいずれかに記載のシャツ収納構造。
【請求項６】
前記収納部材は、袋状であって、収納空間と、前記収納空間の内外を連通する開口を有し、
前記開口からシャツを収納可能であり、
前記開口の開口面積を絞る制限手段を備えていることを特徴とする請求項１〜５のいずれかに記載のシャツ収納構造。
【請求項７】
前記収納部材は、外形形状が直方体状又は立方体状の箱体であり、
収納部材の少なくとも一部は、透明であり、
収納部材の内部に前記シャツを収納した状態において、収納部材の外部からシャツが視認可能であることを特徴とする請求項１〜６のいずれかに記載のシャツ収納構造。
【発明の詳細な説明】
【技術分野】
【０００１】
本発明は、ワイシャツ等のシャツを陳列する際に使用可能なシャツ収納構造に関する。また、シャツが小さく収納され、容易に持ち運び可能なシャツ収納構造に関する。
【背景技術】
【０００２】
従来から、シャツの陳列は、陳列棚上に並べられ、購入者に前身頃が見えるように設置される。具体的には、シャツの陳列は、右前身頃と左前身頃が正面を向き、前立てが中央に位置するように陳列される（例えば、特許文献１）。
【先行技術文献】
【特許文献】
【０００３】
【特許文献１】特開２０１３−２３０２３１号公報
【発明の概要】
【発明が解決しようとする課題】
【０００４】
しかしながら、特許文献１の陳列方法では、一つの商品につき、陳列棚を占める割合が大きくなってしまい、多くの商品を陳列できないという問題がある。
また、商品の占有面積を小さくするために、シャツを折り曲げすぎると、折り曲げ痕が残ってしまい、購入後に使用する際に、アイロン等でしわを伸ばす必要が生じる。そのため、シャツを小さく折り曲げられないという問題もある。
【０００５】
そこで、本発明は、面積が小さくなるように収納でき、かつ、取り出したときにしわになりにくいシャツ収納構造を提供することを課題とする。
【課題を解決するための手段】
【０００６】
上記した課題を解決するための請求項１に記載の発明は、形態安定性加工が施されたシャツを収納部材に収納したシャツ収納構造であって、前記シャツは、正面視したときに広げた状態の全面積の1／５以下の面積になるように折り畳まれており、前記収納部材は、前記シャツが広がらないようにシャツを囲繞していることを特徴とするシャツ収納構造である。
【０００７】
本発明の構成によれば、収納対象となるシャツは形状安定性加工が施されているので、しわになりにくい。そのため、本発明のシャツ収納構造のように、シャツを広げた状態の全面積の１／５以下の面積になるように折り畳んでも、収納部材からシャツを取り出したときにしわになりにくい。
また、本発明の構成によれば、シャツは、広げた状態の全面積の1／５以下に折り畳まれた状態で収納部材に収納されており、当該収納部材によってシャツの広がりが規制されているため、嵩張らずにシャツの形状を維持できる。
【０００８】
請求項２に記載の発明は、前記シャツは、当該シャツの着丈方向において、ロール状に丸められて収納されていることを特徴とする請求項１に記載のシャツ収納構造である。
【０００９】
本発明の構成によれば、シャツがロール状に丸められた状態で収納部材に収納されているので、嵩張らず、寸法をより小さくできる。
【００１０】
請求項３に記載の発明は、前記シャツは、後身頃が少なくとも肩幅方向に３回以上折り曲げられていることを特徴とする請求項１又は２に記載のシャツ収納構造である。
【００１１】
一般的なシャツの折り畳みでは、後身頃は、肩幅方向に２回折り畳まれることが多い。そのため、横幅が広くなってしまう。
一方、本発明の構成によれば、後身頃が少なくとも肩幅方向に３回以上折り曲げられているので、シャツがコンパクトとなり、肩幅方向の寸法を小さくできる。
【００１２】
請求項４に記載の発明は、前記シャツは、ストライプ柄、ヘアライン柄、スピン柄、及びチェック柄から選ばれる少なくとも一つの柄を備えていることを特徴とする請求項１〜３のいずれかに記載のシャツ収納構造である。
【００１３】
本発明の構成によれば、複数の線又は帯が交差する模様であるため、しわが線又は帯のアウトラインと重なり、使用者等にしわがわかりにくい。
【００１４】
請求項５に記載の発明は、前記シャツは、少なくとも５０以上のしわを付けた状態でハンガーに吊り下げ、水を吹き付けて所定時間放置したときにしわの数が１／１０以下になることを特徴とする請求項１〜４のいずれかに記載のシャツ収納構造である。
【００１５】
本発明の構成によれば、ハンガーに吊るして、水を吹き付けるだけで、しわの数が著しく減少するため、出張や旅行等で使用しやすい。
【００１６】
請求項６に記載の発明は、前記収納部材は、袋状であって、収納空間と、前記収納空間の内外を連通する開口を有し、前記開口からシャツを収納可能であり、前記開口の開口面積を絞る制限手段を備えていることを特徴とする請求項１〜５のいずれかに記載のシャツ収納構造である。
【００１７】
本発明の構成によれば、収納部材にシャツを収納し、制限手段によって開口を絞ることによって、収納部材でシャツ全体を覆い隠すことが可能であるため、持ち運ぶ際に汚れが付きにくい。
【００１８】
請求項７に記載の発明は、前記収納部材は、外形形状が直方体状又は立方体状の箱体であり、収納部材の少なくとも一部は、透明であり、収納部材の内部に前記シャツを収納した状態において、収納部材の外部からシャツが視認可能であることを特徴とする請求項１〜６のいずれかに記載のシャツ収納構造である。
【００１９】
本発明の構成によれば、外形形状が直方体又は立方体であるため、陳列する際に敷き詰めて陳列することができる。
また、本発明の構成によれば、収納部材の内部にシャツを収納した状態において、収納部材の外部からシャツが視認可能であるため、陳列したときに、シャツの色や柄の判別が可能である。
【発明の効果】
【００２０】
本発明のシャツ収納構造によれば、面積が小さくなるように収納でき、かつ、取り出したときにしわになりにくい。
【図面の簡単な説明】
【００２１】
【図１】本発明の第１実施形態に係るシャツ展示構造の斜視図である。
【図２】図１のシャツ展示構造の分解斜視図である。
【図３】図２の収納本体の展開図である。
【図４】図２のシャツの正面図である。
【図５】図４のシャツの背面図である。
【図６】図１の持ち運び用収納部材の斜視図である。
【図７】図１の持ち運び用収納部材にシャツを収納した状態を表す斜視図である。
【図８】図１のシャツ展示構造の組み立て手順の説明図であり、シャツの折り畳み手順を表す説明図であり、（ａ）〜（ｄ）は各工程を表す。
【図９】図１のシャツ展示構造の組み立て手順の説明図であり、シャツの折り畳み手順を表す説明図であり、（ｅ）〜（ｈ）は各工程を表す。
【図１０】図６の持ち運び用収納部材にシャツを収納する際の手順の説明図であり、シャツの折り畳み手順を表す説明図であり、（ａ）〜（ｄ）は各工程を表す。
【図１１】図６の持ち運び用収納部材にシャツを収納する際の手順の説明図であり、シャツの折り畳み手順を表す説明図であり、（ｅ）〜（ｈ）は各工程を表す。
【図１２】図６の持ち運び用収納部材にシャツを収納する際の手順の説明図であり、シャツの折り畳み手順を表す説明図であり、（ｉ）〜（ｌ）は各工程を表す。
【図１３】図６の持ち運び用収納部材にシャツを収納する際の手順の説明図であり、シャツの折り畳み手順を表す説明図であり、（ｍ）〜（ｐ）は各工程を表す。
【図１４】図１の展示用シャツ収納構造の展示例である。
【図１５】本発明の第２実施形態の持ち運び用収納部材にシャツを収納した状態を表す斜視図である。
【図１６】図１５の持ち運び用収納部材とシャツの分解斜視図である。
【図１７】本発明の第３実施形態の持ち運び用収納部材にシャツを収納した状態を表す斜視図である。
【図１８】図１７の持ち運び用収納部材を開封してシャツを取り出したときの斜視図である。
【図１９】本発明の第４実施形態の持ち運び用収納部材にシャツを収納した状態を表す斜視図である。
【図２０】本発明の他の実施形態の持ち運び用収納部材にシャツを収納した状態を表す斜視図である。
【発明を実施するための形態】
【００２２】
以下、本発明の実施形態について詳細に説明する。
【００２３】
第１実施形態の展示用シャツ収納構造１は、図１に示されるように、展示用収納部材２の内部にシャツ３及び持ち運び用収納部材５を収納したものである。
【００２４】
展示用収納部材２は、シャツ３を収納可能な部材であり、図２に示されるように、収納本体６と、ラベル部材７から構成されている。
収納本体６は、外形形状が直方体又は立方体状の箱体であり、一枚の透明の薄板を折り曲げ加工を施して形成されたものである。
ここでいう「透明」とは、先にあるものが透過して見えることをいう。すなわち、無色だけではなく、有色であっても透けて見えるものは透明となる。また、若干濁っていてもよい。
【００２５】
具体的には、収納本体６は、図３から読み取れるように、いわゆるアメリカンロック式の箱である。つまり、収納本体６は、図１に示されるように、天面壁部１０と、底面壁部１１と、天面壁部１０と底面壁部１１を接続する側面壁部１２〜１５を備えており、これら壁部１０〜１５に囲繞された収納空間１６を備えている。
【００２６】
天面壁部１０は、図２，図３から読み取れるように、収納本体６の天面を形成する部位であり、２枚の内フラップ部２０，２１と１枚の外フラップ部２２が組み立てられて構成される部位である。
内フラップ部２０，２１は、左右の側面壁部１３，１５の上端部と連続し、側面壁部１３，１５に片持ち状に支持される係合片である。
外フラップ部２２は、正面側の側面壁部１２の上端部と連続し、側面壁部１４に片持ち状に支持される係合片である。外フラップ部２２は、その先端が折り曲げられており、組み立てたときに、正面側の側面壁部１２と内フラップ部２０，２１の間に挿入可能となっている。
【００２７】
底面壁部１１は、収納本体６の底面を形成する部位であり、図３から読み取れるように、４枚のフラップ部２３〜２６が地獄底を構成して形成される部位である。すなわち、底面壁部１１は、各側面壁部１２〜１５の下端部に連続し、各側面壁部１２〜１５に片持ち状に支持されるフラップ部２３〜２６が互いに係合して形成されている。
側面壁部１２〜１５は、収納本体６の側面を形成する部位である。具体的には、側面壁部１２は正面側側面を構成し、側面壁部１４は背面側側面を構成し、側面壁部１３，１５は左右側側面を構成する。
【００２８】
ラベル部材７は、商品名や材質、使用方法、産地等の展示用シャツ収納構造１に関する情報を表示する表示部材である。
また、ラベル部材７は、図２に示されるように、収納本体６の各側面壁部１２〜１５を覆う部材であり、一枚の帯状に延びた紙状体を各側面壁部１２〜１５に沿って折り曲げて糊付けしたものである。
【００２９】
シャツ３は、形態安定性加工が施された長袖シャツであり、少なくとも５０以上のしわを付けた状態でハンガーに吊り下げ、水を吹き付けて所定時間放置したときにしわの数が１／１０以下になるシャツである。
シャツ３は、図４，図５に示されるように、前身頃３０と、後身頃３１と、肩ヨーク３２と、衿３３と、袖３４と、袖口３５と、前立て３６を有しており、これらの各部分に裁断された布地を縫製して形成されている。
シャツ３は、ストライプ柄、ヘアライン柄、スピン柄、及びチェック柄から選ばれる少なくとも一つの柄を備えていることが好ましい。本実施形態のシャツ３は、有色のチェック柄であり、具体的には、白と所定の色との組み合わせた格子柄であるギンガムチェック柄である。
また、本実施形態のシャツ３は、ボタンダウンシャツである。すなわち、衿３３は、羽根衿４０と台衿４１を有しており、衿３３の近傍には、台衿ボタン４２が設けられている。
【００３０】
持ち運び用収納部材５は、展示用収納部材２と同様、シャツ３を収納可能な部材であり、図６に示されるように、シャツ３を収納可能な収納空間５０を備えた袋状体である。具体的には、持ち運び用収納部材５は、巾着袋である。
また、持ち運び用収納部材５は、シャツ３を収納することによって図７に示される持ち運び用シャツ収納構造８を構成する部材である。
持ち運び用収納部材５は、ストライプ柄、ヘアライン柄、スピン柄、及びチェック柄から選ばれる少なくとも一つの柄を備えていることが好ましい。本実施形態の持ち運び用収納部材５は、シャツ３と同一柄であるチェック柄であり、具体的には、白と所定の色との組み合わせた格子柄であるギンガムチェック柄である。
【００３１】
持ち運び用収納部材５は、図６に示されるように、収納空間５０と連通した開口５１と、開口５１を絞る制限手段５２を有している。
開口５１は、収納空間５０の内外を連通する開口であり、折りたたまれた状態のシャツ３を挿入可能な挿入開口である。
制限手段５２は、開口５１の開口面積を絞る部材である。具体的には、制限手段５２は、紐体で構成されている。すなわち、制限手段５２を引っ張ることによって開口５１をほぼ閉塞できる。
【００３２】
続いて、シャツ３を展示用収納部材２に収納して展示用シャツ収納構造１を形成する際のシャツ３の折りたたみ方について図８，図９に則して説明する。
【００３３】
まず、シャツ３の前身頃３０や袖３４、衿３３等のボタンを留め、台衿ボタン４２に図示しない衿固定部材を固定し、羽根衿４０と台衿４１の位置関係を固定する。そして、シャツ３を裏返し、図８（ａ）に示されるように後身頃３１が見える状態とする。
ここで使用される衿固定部材は、公知の固定部材であり、透明のプラスチック製の板状体である。
【００３４】
次に、図８（ｂ）に示されるように、着丈方向Ｙの略中央の部位を折り返して、後身頃３１の下端縁たる裾４３が肩ヨーク３２近傍に位置するように折り曲げる。すなわち、シャツ３全体を略二等分するように折り曲げる。
続いて、図８（ｃ）に示されるように、一方の袖３４ａ（本実施形態では、左側袖３４ａ）を袖３４ａの付け根に位置するアームホール４４ａ近傍から後身頃３１側に折り返し、さらに他方の袖３４ｂ（本実施形態では、右側袖３４ｂ）を袖３４ｂの付け根に位置するアームホール４４ｂ近傍から後身頃３１側に折り返す。
続いて、図８（ｄ）に示されるように、後身頃３１の肩幅方向Ｘにおいて肩幅の４分の１程度の部分をさらに左側袖３４ａとともに折り返し、さらに後身頃３１の肩幅方向Ｘにおいて袖３４ｂ側の端部から肩幅の４分の１程度の部分をさらに右側袖３４ｂとともに折り返す。このとき、前身頃３０の一部が見える状態となる。
そして、図９（ｅ）に示されるように、袖３４ａ側の端部３９ａが衿３３近傍にくるようにさらに折り曲げる。具体的には、前身頃３０の肩幅方向Ｘの折り曲げ端部３９ａが衿３３の右側端部と着丈方向Ｙに並ぶように折り曲げる。
続いて、図９（ｆ）に示されるように、同様に袖３４ｂ側の端部３９ｂも衿３３近傍にくるようにさらに折り曲げる。具体的には、前身頃３０の肩幅方向Ｘの一方の折り曲げ端部３９ｂが他方の折り曲げ端部４５ａと重なるように折り曲げる。
そうすると、図９（ｇ）に示されるように、シャツ３は着丈方向Ｙに帯状に延びた状態となる。その後、必要に応じて、衿固定金具で左右の前身頃３０ａ，３０ｂを後身頃３１側で固定する。
最後に、図９（ｇ）に示されるように、着丈方向Ｙに下端部から丸めていき、衿３３近傍まで周方向に丸める。こうすることにより、シャツ３は、図９（ｈ）に示されるように、ロール状となって、正面視したときに、広げた状態のシャツ３の全面積の１／５以下の面積となり、収納可能状態となる。
【００３５】
続いて、展示用収納部材２を組み立てて、展示用収納部材２の収納空間１６に上記した収納可能状態のシャツ３を収納する。
【００３６】
まず、図２，図３から読み取れるように、あらかじめ展示用収納部材２のフラップ部２３〜２６を互いに係合させて底面壁部１１を形成する。
このとき、側面壁部１２〜１５が底面壁部１１の各辺に沿って立設されており、上方に向けて開放した収納空間１６が形成される。また、収納空間１６は、側面壁部１２〜１５で縁取られ形成された開口２７を介して外部と連通している。
【００３７】
そして、必要に応じて内フラップ部２０，２１及び外フラップ部２２を外側に折り返し、収納空間１６に折り畳まれて収納可能状態となったシャツ３を開口２７から収納する。
このとき、台衿４１が上方側（開口２７側）を向くように設置し、開口２７の中央に前立て３６が位置するように設置する。
またこのとき、シャツ３の外周面は、図１から読み取れるように、天面壁部１０，底面壁部１１、及び側面壁部１２，１４によって囲繞されている。シャツ３の軸方向の両端面は、左右の側面を構成する側面壁部１３，１５と対面している。
【００３８】
また、別途工程において、持ち運び用収納部材５を展示用収納部材２の収納空間１６内に収容する。持ち運び用収納部材５は、底面壁部１１に敷くことが好ましい。持ち運び用収納部材５を底面壁部１１に敷くことによって、シャツ３が持ち運び用収納部材５で隠れることを防止できる。
【００３９】
そして、内フラップ部２０，２１及び外フラップ部２２をそれぞれ内側に折り曲げ、正面側の側面壁部１２と内フラップ部２０，２１の間に外フラップ部２２の一部を挿入し、天面壁部１０を形成する。
このとき、シャツ３は、広がる方向に力が働くが、天面壁部１０、底面壁部１１、及び側面壁部１２〜１５によって囲繞されているため、シャツ３が広がらない。
【００４０】
また、必要に応じて、ラベル部材７を収納本体６の周囲に巻く。例えば、図２から読み取れるように、側面壁部１２〜１５を囲繞するように帯状のラベル部材７を巻き、その端部を糊等の接着剤で無端状に糊付けする。
こうすることによって、収納本体６は透明であり、収納本体６の天面壁部１０はラベル部材７が巻かれていないので、その内部のシャツ３の状態を視認可能となる。
以上の工程により、展示用シャツ収納構造１が組み立てられる。
【００４１】
続いて、図７に示されるシャツ３を持ち運び用収納部材５に収納した持ち運び用シャツ収納構造８について説明する。
以下、持ち運び用収納部材５にシャツ３を収納する際の折り畳み方の一例について説明する。なお、下記の例は推奨される折り畳み方であり、この限りではない。
【００４２】
まず、シャツ３の前身頃３０や袖３４等のボタンを留めて裏返し、図１０（ａ）に示されるように、後身頃３１が見える状態とする。
【００４３】
次に、図１０（ｂ）に示されるように、後身頃３１を肩幅方向Ｘの五分の一程度の部位を折り曲げ、図１０（ｃ）に示されるように後身頃３１の折り曲げ方向端部付近から袖３４ｂを折り返す。さらに図１０（ｄ）に示されるように、袖３４ｂを肩幅方向Ｘの端部近傍から折り返し、図１１（ｅ）に示されるように、その袖３４ｂの折り返し部分の中央で再度折り返す。そして、図１１（ｆ）に示されるように、この折り返し部分の中央で基端部側（肩幅方向Ｘの中央側）から折り曲げる。
【００４４】
続いて、図１１（ｇ）に示されるようにアームホール４４近傍でもう一方の袖３４ａを折り曲げ、図１１（ｈ）に示されるように後身頃３１の肩幅方向Ｘのアームホール４４と衿３３との中間部で折り返し、再度、図１２（ｉ）に示されるように肩幅方向Ｘの後身頃３１の外側端部近傍で折り返す。
そして、図１２（ｊ）に示されるように袖３４ａの折り返し部分の略中央で外側に折り返し、図１２（ｋ）に示されるように、さらに折り返し部分の中央で外側に折り曲げる。図１２（ｌ）に示されるように、後身頃３１の肩幅方向Ｘの衿３３の端部近傍部分から中央側に折り曲げ、図１３（ｍ）に示されるように他方側の後身頃３１の肩幅方向Ｘの衿３３の端部近傍部分から中央側に折り曲げる。
最後に、図１３（ｎ）に示されるように、裾４３付近を折り曲げ、その折り曲げ部位を起点として、図１３（ｏ）に示されるように、着丈方向Ｙに下端部から丸めていき、図１３（ｐ）に示されるように、衿３３近傍まで丸めて収納可能状態となる。
【００４５】
続いて、持ち運び用収納部材５の収納空間５０に上記した収納可能状態のシャツ３を収納する。
【００４６】
まず、図６に示されるように、あらかじめ制限手段５２による制限を緩和しておき、開口５１を開放する。すなわち、制限手段５２たる紐体を緩めて、開口５１を広げる。そして、開口５１から収納可能状態のシャツ３を挿入し、シャツ３を収納空間５０内に入れる。このとき、シャツ３の軸方向端部側から開口５１に挿入する。
【００４７】
その後、図７に示されるように、制限手段５２によって開口５１を制限する。すなわち、制限手段５２たる紐体を締めて、開口５１を狭める。このとき、シャツ３は、持ち運び用収納部材５によって閉塞される。
【００４８】
本実施形態の展示用シャツ収納構造１であれば、図１４に示されるように、外形形状が直方体又は立方体であるので、展示棚６０に積み上げて展示することができる。すなわち、複数段に積み重ねることができるので、少ない展示スペースでも展示可能である。
また、外形形状が直方体又は立方体であるので、展示棚６０に平面充填になるように並べることも可能である。そのため、展示棚６０に複数種類のシャツ３を展示することができる。
【００４９】
また本実施形態の展示用シャツ収納構造１であれば、外形形状が直方体又は立方体であるので、段ボール等に敷き詰めて収納することが可能である。そのため、大きな段ボール等の箱に複数の展示用シャツ収納構造１を充填させて運搬することができる。
【００５０】
本実施形態の展示用シャツ収納構造１であれば、収納本体６がラベル部材７から露出しており、収納空間１６が外部から視認できる透明部分を備えているため、内部のシャツ３の色や柄、状態等が視認できる。
【００５１】
本実施形態の展示用シャツ収納構造１であれば、後身頃３１が肩幅方向Ｘに３回以上折り畳まれているので、嵩が小さく、あまり展示場所を取らない。
【００５２】
本実施形態の持ち運び用シャツ収納構造８であれば、開口５１を制限する制限手段５２があるため、シャツ３が持ち運び用収納部材５の収納空間５０から脱離しにくい。
また、本実施形態の持ち運び用シャツ収納構造８であれば、持ち運び用収納部材５が巾着袋であるため、シャツ３着用時の持ち運びも便利である。
【００５３】
本実施形態の持ち運び用シャツ収納構造８によれば、シャツ３を収納することによってコンパクトとなるので、出張や旅行等の際に持ち運びが容易となり、便利である。
【００５４】
本実施形態の持ち運び用シャツ収納構造８によれば、シャツ３が形状安定性に優れているので、無造作に折り畳んで、持ち運び用収納部材５に収納することもできる。
【００５５】
続いて、第２実施形態のシャツ収納構造１００について説明する。
第２実施形態のシャツ収納構造１００は、展示にも持ち運びにも使用可能な収納構造である。すなわち、シャツ収納構造１００は、第１実施形態の展示用シャツ収納構造１と同様の展示用シャツ収納構造としても、持ち運び用シャツ収納構造８と同様の持ち運び用シャツ収納構造としても使用できる。
【００５６】
第２実施形態の収納部材１０１は、図１５，図１６に示されるように、瓶形状をしており、本体部１０２と、底面形成部材１０３から構成されている。
本体部１０２は、シャツ３を収納可能な収納空間１０５を備えている。
本体部１０２の下端部近傍の内側面には、ねじ切りされて本体側係合部１０６を備えている。すなわち、本体部１０２の本体側係合部１０６は内ネジである。
底面形成部材１０３は、収納部材１０１の底面を形成する部材であり、本体部１０２の収納空間１０５を密閉する蓋部材である。
底面形成部材１０３は、図１６に示されるように、面積の異なる２枚の円板が重なった形状をしており、大径部１０７と、小径部１０８を備えている。
大径部１０７と小径部１０８は、平面視したときにともに円形状をしており、大径部１０７と小径部１０８の中心軸は、ともに一致している。
大径部１０７は、収納部材１０１を組み立てたときに、本体部１０２とともに外郭を構成する部材である。
小径部１０８は、外周面がねじ切りされており、本体部１０２の本体側係合部１０６と係合可能な蓋側係合部１１０を備えている。すなわち、小径部１０８の蓋側係合部１１０は、外ネジである。
【００５７】
続いて、第２実施形態のシャツ収納構造１００の各部材及び各部位の位置関係について説明する。
【００５８】
本体部１０２の収納空間１０５内に、折り畳まれて収納可能状態となったシャツ３が収納されている。
具体的には、シャツ３の軸方向は、底面形成部材１０３の軸方向とほぼ一致している。すなわち、シャツ３の外周面は、本体部１０２の内周面に囲繞されている。
本体部１０２の下端部に底面形成部材１０３の小径部１０８が嵌っており、本体部１０２の外周面と底面形成部材１０３の大径部１０７の外周面は面一となっている。
また、本体部１０２の本体側係合部１０６は、小径部１０８の外周面に形成された蓋側係合部１１０と螺合しており、本体部１０２と底面形成部材１０３は一体となっている。
【００５９】
第２実施形態のシャツ収納構造１００によれば、収納部材１０１が瓶状であるため、従来にない斬新なデザインとなり、展示等したときに店頭等で映えやすく、目立ちやすい。そのため、購入者の購買意欲を高めることができる。
【００６０】
続いて、第３実施形態のシャツ収納構造１５０について説明する。
第３実施形態の収納部材１５１は、スライダーを備えたチャック袋であり、透明の樹脂製の袋である。
第３実施形態の収納部材１５１は、図１７に示されるように、本体部１５２と、制限手段１５３を有しており、制限手段１５３を操作することによって本体部１５２の内部を密閉可能となっている。
本体部１５２は、開口１５５を有した袋であり、収納可能状態のシャツ３を収納可能な収納空間１５６を備えている。
制限手段１５３は、凸条で構成された雄爪部１５７と、凹溝で構成された雌爪部１５８によって構成されている。
雄爪部１５７と雌爪部１５８は、本体部１５２の開口１５５の近傍に設けられている。また、雄爪部１５７と雌爪部１５８は、開口１５５の縁に沿って連続しており、雄爪部１５７と雌爪部１５８は開口１５５を介して対向している。
【００６１】
第３実施形態のシャツ収納構造１５０であれば、収納可能状態のシャツ３を収納部材１５１の収納空間１５６内に収納し、雄爪部１５７と雌爪部１５８を互いに近接する方向に指や治具等で押圧することによって、雄爪部１５７と雌爪部１５８が互いに嵌合して、収納空間１５６が密閉される。そのため、例えば、収納空間１５６内の空気を抜いた状態で密閉することによって、嵩を減らすことができる。
また、この密閉状態から雄爪部１５７と雌爪部１５８が離反する方向に雄爪部１５７と雌爪部１５８を引き離すことによって、雄爪部１５７と雌爪部１５８の嵌合が解除され、収納空間１５６が開放される。そのため、容易にシャツ３を開口１５５から取り出すことができる。
【００６２】
続いて、第４実施形態のシャツ収納構造２００について説明する。
【００６３】
第４実施形態の収納部材２０１は、第３実施形態の収容部材と同様、スライダーを備えたチャック袋であり、図１８に示されるように、本体部１５２と、制限手段１５３と、図示しない真空引き部を有している。
真空引き部は、一方向にのみ空気を流し、逆流を防ぐ部材である。すなわち、収納空間１５６内の空気を外部に流すが、収納空間１５６側への空気の逆流を防止する部材である。真空引き部は、制限手段１５３の近傍に設けられている。
【００６４】
第４実施形態のシャツ収納構造２００の収納手順について説明する。
収納可能状態のシャツ３を収納部材２０１の収納空間１５６内に収納し、雄爪部１５７と雌爪部１５８を互いに近接する方向に指や治具等で押圧することによって、雄爪部１５７と雌爪部１５８が互いに嵌合して、収納空間１５６が密閉される。
その後、図１９に示されるように収納部材２０１の開口１５５と反対側の端部から丸めていって、収納空間１５６の空気を真空引き部から押し出していき、収納空間１５６の空気の大部分を排出させる。
【００６５】
第４実施形態のシャツ収納構造２００であれば、容易に収納空間１５６内の空気を排出することができるので、嵩を小さくすることができる。
【００６６】
上記した実施形態では、シャツ３が長袖シャツである場合について説明したが、本発明はこれに限定されるものではなく、シャツは、半袖シャツであってもよい。
【００６７】
上記した実施形態では、シャツ３がボタンダウンシャツである場合について説明したが、本発明はこれに限定されるものではなく、シャツの衿の形状は特に限定されない。
【００６８】
上記した第１実施形態では、展示用収納部材の形状は箱状であったが、本発明はこれに限定されるものではなく、展示用収納部材の形状は特に限定されない。例えば、円筒状であってもよい。この場合、シャツ３を丸めて収納可能状態としたときの軸方向と展示用収納部材の中心軸の方向を一致させることが推奨される。
【００６９】
上記した第１実施形態では、収納本体６の全体を透明としたが、本発明はこれに限定されるものではなく、収納本体６は部分的に透明であってもよい。
【００７０】
上記した第２実施形態では、収納部材１０１を瓶状としたが、本発明はこれに限定されるものではなく、例えば、収納部材１０１の形状は円筒状であってもよい。この場合、収納部材１０１を隅々まで、シャツ３の収納に利用できるため、より嵩を小さくすることができる。
【００７１】
上記した第２実施形態では、底面形成部材１０３の小径部１０８に本体部１０２の下端部の内周面を外嵌させたが、本発明はこれに限定されるものではなく、本体部１０２の下端部の外周面に底面形成部材を外嵌させてもよい。
【００７２】
上記した第４実施形態では、丸めることによって収納空間１５６の空気を押し出していき、真空状態を形成したが、本発明はこれに限定されるものではなく、掃除機等の吸引手段によって収納空間１５６内の空気を吸引してもよい。この場合、図２０に示されるように、平面状に延ばした状態で真空引きすることも可能であり、丸める場合に比べてシャツ３にしわができにくくすることができる。
【符号の説明】
【００７３】
１  展示用シャツ収納構造（シャツ収納構造）
２  展示用収納部材（収納部材）
３  シャツ
５  持ち運び用収納部材（収納部材）
８  持ち運び用シャツ収納構造（シャツ収納構造）
１６，５０，１０５，１５６  収納空間
２７，５１，１５５  開口
３１  後身頃
５２，１５３  制限手段
１００，１５０，２００  シャツ収納構造
【図１】
2016124609.tif 000003
【図２】
2016124609.tif 000004
【図３】
2016124609.tif 000005
【図４】
2016124609.tif 000006
【図５】
2016124609.tif 000007
【図６】
2016124609.tif 000008
【図７】
2016124609.tif 000009
【図８】
2016124609.tif 000010
【図９】
2016124609.tif 000011
【図１０】
2016124609.tif 000012
【図１１】
2016124609.tif 000013
【図１２】
2016124609.tif 000014
【図１３】
2016124609.tif 000015
【図１４】
2016124609.tif 000016
【図１５】
2016124609.tif 000017
【図１６】
2016124609.tif 000018
【図１７】
2016124609.tif 000019
【図１８】
2016124609.tif 000020
【図１９】
2016124609.tif 000021
【図２０】
2016124609.tif 000022